(57)【要約】【課題】  ドアに簡単に取り付けられ、かつ閉じたドアが開かれないように確実に止めることができるドアの聞き止め装置を提供する。【解決手段】  ドアが開くのを防止するためにドアに取り付ける装置として、摘み操作によって突出し或いは没入するストッパー１２、１３を有し、ストッパー１２、１３の突出によりドア枠３０に掛け止まりドア２０が開くのを防止する器具本体１１と、ドア２０に取り付けられている器具本体１１と一体化し、器具本体１１のドア２０に対する固定力を高める係合部材３１とを具備する。ストッパー１２、１３を操作する摘みが、器具本体１１に対して着脱可能に設けられているキー２５であり、器具本体１１に装着したときに磁気吸着するように、磁気吸着手段２７、２８が摘みと器具本体１１との間に設けられている。【選択図】          図１
0003107915.tif 000002
【実用新案登録請求の範囲】
【請求項１】
ドアが開くのを防止するためにドアに取り付ける装置であって、摘み操作によって突出し或いは没入するストッパーを有し、ストッパーの突出によりドア枠に掛け止まりドアが開くのを防止する器具本体と、ドアに取り付けられている器具本体と一体化し、器具本体のドアに対する固定力を高める係合部材とを有するドア開き止め装置。
【請求項２】
ストッパーを操作する摘みが、器具本体に対して着脱可能に設けられているキーであり、器具本体に装着したときに磁気吸着するように、磁気吸着手段が摘みと器具本体との間に設けられている請求項１記載のドア開き止め装置。
【請求項３】
ストッパーはキーと契合するキー穴を有する揺動片と係合可能になっており、揺動片の係合軸はストッパーの係合口と緩い係合関係にあり、さらに揺動片は左右いずれかの方向へ弾性的に付勢されることにより、一つのストッパーを器具本体から突出させるか没入させるかいずれか一つの状態を取る請求項１記載のドア開き止め装置。
【考案の詳細な説明】
【技術分野】
【０００１】
本考案は、ドアが開くのを防止するためにドアに取り付ける装置に関するものである。
【背景技術】
【０００２】
空き巣ねらいや押し売り等によりドアが開けられるのを防止するために、ドアのロックの補助となり、またドアチェーンの代わりとなる器具や装置類が市販されている。しかしそれらは、取り付けにねじ止めを必要とするとか、構造の異なるドアには有効でないというような問題があり後付けには適していない。例えば特開２００２−１０６２３５号の用心錠は用心錠本体をドアに、受けをドア枠に夫々取り付ける必要があり、位置を合わせて正確に作業を行うのは簡単ではない。一方特開２００２−３４９１１４号の錠装置の場合ねじ止めによる取り付けの必要はないようであるが、ドアとドア枠に係止片と押圧片を当てがうように取り付けるには慣れが必要と思われる。また雄ねじ部がドアから直角に突き出るため邪魔になることは否定できない。
【０００３】
【特許文献１】特開２００２−１０６２３５号
【特許文献２】特開２００２−３４９１１４号
【考案の開示】
【考案が解決しようとする課題】
【０００４】
本考案は前記の点に着目してなされたもので、その課題は、ドアに簡単に取り付けることができ、かつ閉じたドアが開かれないように確実に止めることができるドアの開き止め装置を提供することにある。また本考案の他の課題は、ストッパーの位置を切り換える摘みを磁気により着脱可能とすることである。
【課題を解決するための手段】
【０００５】
前記の課題を解決するため本考案は、ドアが開くのを防止するためにドアに取り付ける装置として、摘み操作によって突出し或いは没入するストッパーを有し、ストッパーの突出によりドア枠に掛け止まりドアが開くのを防止する器具本体と、ドアに取り付けられている器具本体と一体化し、器具本体のドアに対する固定力を高める係合部材とを具備するという手段を講じたものである。
【０００６】
本考案のドア開き止め装置は、器具本体と、係合部材とを有して構成されるが、この
内、器具本体はドアに取り付けられる。器具本体は、室内側における摘み操作によって突出及び没入するストッパーを有しており、ストッパーは突出によりドア枠に掛け止まり、没入により掛け止まりが解除される。故に、ストッパーを没入位置にしておけば、器具本体をドアに取り付けたままでもそのドアを自由に開閉することができる。
【０００７】
なお、本考案における対象は回転扉或いはスイング式のドアであり、スライド式ドアではない。また本考案においてドアは開閉のために動くものを意味し、ドア枠はドアを取り付けているもの或いはドアを取り囲んでいるものを意味するので、ドアを取り付けた開口部もドア枠に該当する。
【０００８】
器具本体は、ドア側に取り付けられるが、ドアに取り付けられている器具本体と一体化する係合部材が併用される。係合部材は、器具本体のドアに対する取り付け力を強化するもので、器具本体に予め一体に設けられていても良く、或いは器具本体とは別体で器具本体と係合するような構造であっても良い。いずれにせよ、係合部材はドアに係合によって取り付けられ、ドアと一体であるべき器具本体のドアに対する固定力を高める作用を果たす。
【０００９】
器具本体のストッパーを出没させる摘みは、器具本体に対して着脱可能に設けられるキーであることが望ましい。ストッパーの位置を例えば突出位置にしてドア枠との掛け止め状態とした後でキーを引き抜けば、ドアは開き止めが掛かった状態のまま保たれ、キーがなければ解除することは困難である。故にドアに穴を開けられてもドアの開き止めを解除することはできない。このキーは、器具本体（のキー穴）に装着したときに磁気吸着するように、磁気吸着手段を摘みと器具本体との間に設けることが望ましい。これによりワンタッチ着脱が可能になり、摘み操作を確実に行うことができる。
【００１０】
磁気吸着手段は磁石同士のペアでも良いが、一方を磁石、他方を鉄などの磁性体とする組み合わせでも良い。鉄などの磁性体の場合、例えば器具本体の一部が鉄製である場合にはそれを磁気吸着手段として利用することができる。キーの側に磁石を設けた場合には、取り外したキーを鉄製のドアやドアクローザーその他に磁気吸着させておけるので、紛失のおそれが少ない。
【考案の効果】
【００１１】
本考案は以上の如く構成されかつ作用するものであるから、ドアに簡単に取り付けら
れ、かつ閉じているドアを確実に保持し、開かれるのを防止するという効果を奏し、かつまた摘みを磁気により着脱可能であり、摘み操作が確実に行えるという効果を奏する。
【考案を実施するための最良の形態】
【００１２】
以下図示の実施形態を参照して本考案をより詳細に説明する。図１は本考案に係る装置１０の例示であり、１１は器具本体を示しており、左右に突出、没入可能なストッパー
１２、１３を有し、そのストッパー１２、１３は本体正面に設けられたキー穴１６に差し込むキー２５によって操作される。
【００１３】
ストッパー１２、１３は、本体ケースの左右に開けられた開口１４、１５から出没可能に器具本体１１に組み込まれており、キー穴１６を有する回転軸１７を中心として左右へ揺れ動く、揺動片１８と係合可能になっている。２１は大径の係合口であり、揺動片１８の係合軸２２と緩い係合関係にある。また揺動片１８は弾性体１９によって左右いずれかの方向へ付勢されているので、ストッパー１２、１３を左又は右へ突出させ或いは没入させる状態を取り、中立は取り得ない。また、係合軸２２が係合口２１と係合するためストッパー１２、１３を押し込んだ程度では揺動片の位置を切り換えるに到らないため、切り換えには必ずキー操作が必要である。
【００１４】
キー穴１６の奥は角型断面の穴になっており、そこに同形の契合部を有するキー２５が差し込まれる。契合部２６は磁性体である鋼から成り、その内側に磁気吸着手段の一方２７が嵌め込まれている。磁気吸着手段の他方２８は器具本体内のキー穴１６の奥に設けられている。つまり例示の磁気吸着手段は双方２７、２８とも磁石を有し、かつ中間に磁性体が配置されているという構成をとる。
【００１５】
係合部材３１は器具本体１１と一体のものとしてドア２０に取り付けられる。係合部材３１は、器具本体１１と一体化する部分３２とドア２０に取り付けられる先端部分３３とを有し、ドアに対して簡単には抜け出し難い状態で取り付けられる。器具本体１１は、このため両面接着テープ等の仮止め手段３４を含む態様によってドア２０に取り付けられれば良い。３５は掛止相手部であり、ドア枠３０の内縁等が掛止に利用され得る。
【００１６】
このような構成を有する本考案のドア開き止め装置１０は、器具本体１１の背面を仮止め手段３４などによってドア２０の開閉端近くに固定するとともに、それと一体化する係合部材３１をドア２０の開閉端部に当てがって固定する。このとき、ドア２０を閉じた状態で器具本体がドア枠掛止相手部３５と抵触し合わず、かつストッパー１２を突出させると掛止相手部３５に掛け止まるように配慮する。図４は、ドア２０に本装置１０を取り付け、さらにキー２５を操作してストッパー１２を突出させ掛止相手部３５に掛け止まるようにし、かつキー２５を取り外した状態を示す。なお、ドア２０とドア枠３０に図４に示すほどの寸法差がない場合にはストッパー１２と掛止相手部３５との間に適当な部材を当てがえば良い。
【図面の簡単な説明】
【００１７】
【図１】本考案に係るドア開き止め装置の１例を示す斜視図。
【図２】器具本体の内部正面図
【図３】同じく正面中央縦断面図。
【図４】ドア及びドア枠との関係を示す平面説明図。
【符号の説明】
【００１８】
１０  ドア開き止め装置
１１  器具本体
１２、１３  ストッパー
１６  キー穴
１８  揺動片
１９  弾性体
２０  ドア
２１  係合口
２２  係合軸
２５  キー
２７、２８  磁気吸着手段
３０  ドア枠
３１  係合部材
【図１】
0003107915.tif 000003
【図２】
0003107915.tif 000004
【図３】
0003107915.tif 000005
【図４】
0003107915.tif 000006